(57)【要約】  【課題】  基板ケースの放熱通路の本来の放熱機能を生かしつつ該放熱通路を介して不正が行われるのを防止することができる。  【解決手段】  メイン制御基板ケースの蓋体底面部５１には、メイン制御基板ケース内に収容されたメイン制御基板６０に実装された電子部品が発熱したとしてもその熱は放熱通路７０の内側開口７５ｂから外側開口７４ａへと逃げるため、放熱通路７０の本来の機能は損なわれない。また、放熱通路７０に針金等の小道具を挿入してメイン制御基板６０に不正を働こうとしても、その小道具を放熱通路７０の外側開口７４ａから内側開口７５ｂへ直線的に到達させることができないため、放熱通路７０を介して不正が行われるのを防止することができる。【選択図】  図４
2006101999.tif 000002
【特許請求の範囲】
【請求項１】
遊技に関わる制御を司る制御基板を収容する基板ケースを備えた遊技機であって、
前記基板ケースの外面側に設けられた外側開口と該基板ケースの内面側に設けられた内側開口とを有し前記制御基板で発生した熱を外部に逃がすための放熱通路を備え、
前記放熱通路のうち前記外側開口と前記内側開口との間に形成される空間は、前記外側開口から前記内側開口へと仮想直線が通過することのないように形成されている、
遊技機。
【請求項２】
前記基板ケースは、複数の放熱孔形成面が隙間を持って積層された箇所を有し、前記放熱通路は、各放熱孔形成面に形成された放熱孔を仮想的に結ぶことにより形成される、請求項１に記載の遊技機。
【請求項３】
前記複数の放熱孔形成面の枚数は、２枚又は３枚である、請求項２に記載の遊技機。
【請求項４】
前記複数の放熱孔形成面の各々に形成された放熱孔は、外側の放熱孔形成面ほど孔径が大きくなっている、請求項２又は３に記載の遊技機。
【請求項５】
前記放熱通路は、前記外側開口から屈曲して前記内側開口に至るように前記基板ケースの所定のケース面を貫通している、請求項１に記載の遊技機。
【発明の詳細な説明】
【技術分野】
【０００１】
本発明は、遊技機に関し、詳しくは、遊技に関わる制御を司る制御基板を収容する基板ケースを備えた遊技機に関する。
【背景技術】
【０００２】
従来より、パチンコ機やスロットマシンに代表される遊技機では、各種の制御基板に搭載したＣＰＵがＲＯＭに記録されたプログラムに基づいて種々の電子制御を行っている。これらの制御基板は基板ケース内に密閉状態で収容されているが、制御基板に実装されるＩＣやトランジスタなどの電子部品は使用に伴って発熱するため、基板ケース内が高温化して電子部品に悪影響を及ぼすおそれがある。そこで、基板ケース内の高温化を防止するために、基板ケースには通常放熱穴が設けられている（例えば特許文献１参照）。
【特許文献１】特開平１１−３３１９４号公報（図１）
【発明の開示】
【発明が解決しようとする課題】
【０００３】
しかしながら、放熱穴を介して針金等の小道具を挿入すると制御基板に届くため、不正行為者がこの放熱穴を介して制御基板に不正を働くおそれがある。そして、遊技機の制御基板のＲＯＭがいわゆる不正ＲＯＭに交換されると、遊技機として検査をパスしたときとは異なる遊技が行われることになる。この点に鑑み、放熱穴をなくした基板ケースが開発されているが、そうすると基板ケース内の高温化を招きやすくなり電子部品に悪影響を及ぼすおそれが生じる。
【０００４】
本発明は、基板ケースの放熱通路の本来の放熱機能を生かしつつ該放熱通路を介して不正が行われるのを防止することができる遊技機を提供することを目的とする。
【課題を解決するための手段】
【０００５】
本発明は、上述の目的を達成するために以下の手段を採った。
【０００６】
手段１．遊技に関わる制御を司る制御基板を収容する基板ケースを備えた遊技機であって、
前記基板ケースの外面側に設けられた外側開口と該基板ケースの内面側に設けられた内側開口とを有し前記制御基板で発生した熱を外部に逃がすための放熱通路を備え、
前記放熱通路のうち前記外側開口と前記内側開口との間に形成される空間は、前記外側開口から前記内側開口へと仮想直線が通過することのないように形成されている、
遊技機。
【０００７】
この遊技機では、基板ケース内に収容された制御基板が発熱したとしてもその熱を放熱通路の内側開口から外側開口へと逃がすことができるため、放熱通路の本来の機能は損なわれない。また、放熱通路に針金等の直線状の小道具を挿入して制御基板に不正を働こうとしても、その小道具を放熱通路の外側開口から内側開口へ直線的に到達させることができないため、放熱通路を介して制御基板への不正が行われるのを防止することができる。
【０００８】
手段２．前記基板ケースは、複数の放熱孔形成面が隙間を持って積層された箇所を有し、前記放熱通路は、各放熱孔形成面に形成された放熱孔を仮想的に結ぶことにより形成される、手段１に記載の遊技機。例えば上側に配置される放熱孔形成面の放熱孔の開口部分に対して下側に配置される放熱孔形成面の放熱孔の開口部分をずらせば、本発明の放熱通路を容易に実現することができる。
【０００９】
手段３．前記複数の放熱孔形成面が隙間を持って積層された箇所は、前記基板ケースのうち前記制御基板に対向する位置である、手段２に記載の遊技機。この場合、制御基板に対向する位置に放熱通路が形成されているため、制御基板に実装された電子部品が発した熱を効率よく逃がすことができる。
【００１０】
手段４．前記複数の放熱孔形成面の枚数は、２枚又は３枚である、手段２又は３に記載の遊技機。放熱孔形成面の枚数が多ければ多いほど不正防止効果が高くなるが、その反面、放熱効果が低くなる。このため、放熱孔形成面は２枚又は３枚として両効果の両立を図ることが好ましい。
【００１１】
手段５．前記複数の放熱孔形成面の各々に形成された放熱孔は、外側の放熱孔形成面ほど孔径が大きくなっている、手段２〜４のいずれかに記載の遊技機。こうすれば、熱が基板ケース内にこもりにくい。
【００１２】
手段６．前記基板ケースの外側に配置された外側放熱孔形成面に形成された外側放熱孔と前記基板ケースの内側に配置された内側放熱孔形成面に形成された内側放熱孔は、前記外側放熱孔から直線的な棒状部材を差し込んだときの該棒状部材の最大到達範囲を超えた位置に前記内側放熱孔が存在するように配置されているか、又は、前記外側放熱孔から直線的な棒状部材を差し込んだときの該棒状部材の先端が前記内側放熱孔を通過せず側壁に当たるように該内側放熱孔が配置されている、手段２〜５のいずれかに記載の遊技機。こうすれば、本発明の放熱通路を比較的簡単に具現化することができる。
【００１３】
手段７．前記基板ケースの外側に配置された外側放熱孔形成面に形成された外側放熱孔と前記基板ケースの内側に配置された内側放熱孔形成面に形成された内側放熱孔と両放熱孔形成面の中間に配置された中間放熱孔形成面に形成された放熱孔とは、軸方向に重なる部分を持たないように形成されている、手段２〜５のいずれかに記載の遊技機。こうしても、本発明の放熱通路を比較的簡単に具現化することができる。
【００１４】
手段８．前記放熱通路は、前記外側開口から屈曲して前記内側開口に至るように前記基板ケースの所定のケース面を貫通している、手段１に記載の遊技機。このようにしても、本発明の放熱通路を具現化することができる。
【００１５】
手段９．前記放熱通路は、前記外側開口から複数回屈曲して前記内側開口に至るように形成されている、手段８に記載の遊技機。こうすれば、屈曲点が多いため針金等の小道具を制御基板へ到達させるのが一層困難になり、不正防止効果が高まる。
【００１６】
手段１０．前記所定のケース面は、前記放熱通路が形成された１枚の平板により構成されている、手段８又は９に記載の遊技機。こうすれば、このケース面を複数枚の平板を接合して構成する場合に比べて簡易に製造することができる。
【００１７】
手段１１．前記所定のケース面は、貫通孔を有する複数枚の平板を各平板の貫通孔が連通して前記放熱通路をなすように機械的に又は化学的に接合したものである、手段８又は９に記載の遊技機。こうすれば、複雑に屈曲している放熱通路を具現化することができる。
【００１８】
手段１２．前記遊技機はパチンコ機である、手段１〜１１のいずれかに記載の遊技機。こうすれば、パチンコ機において、手段１〜１１の作用効果が得られる。
【００１９】
手段１３．前記遊技機はスロットマシンである、手段１〜１１のいずれかに記載の遊技機。こうすれば、スロットマシンにおいて、手段１〜１１の作用効果が得られる。
【００２０】
手段１４．前記遊技機はパチンコ機とスロットマシンとを融合させてなる融合機である、手段１〜１１のいずれかの遊技機。こうすれば、パチンコ機とスロットマシンとを融合させてなる融合機において、手段１〜１１の作用効果が得られる。ここで、融合機としては、例えば遊技媒体としてメダルの代わりに遊技球を用いるスロットマシンなどが挙げられる。
【００２１】
なお、本発明は上述したように遊技機として捉えることもできるが、基板ケースとして捉えることもできる。即ち、「遊技に関わる制御を司る制御基板を収容する基板ケースであって、前記基板ケースの外面側に設けられた外側開口と該基板ケースの内面側に設けられた内側開口とを有し前記制御基板で発生した熱を外部に逃がすための放熱通路を備え、前記放熱通路のうち前記外側開口と前記内側開口との間に形成される空間は、前記外側開口から前記内側開口へと仮想直線が通過することのないように形成されている、基板ケース。」として捉えることもできる。この基板ケースでは、制御基板が発熱したとしてもその熱を放熱通路の内側開口から外側開口へと逃がすことができるため、放熱通路の本来の機能は損なわれない。また、放熱通路に針金等の小道具を挿入して制御基板に不正を働こうとしても、その小道具を放熱通路の外側開口から内側開口へ直線的に到達させることができないため、放熱通路を介して制御基板への不正が行われるのを防止することができる。この基板ケースにつき、手段２〜９と同様の限定を加えてもよい。その場合も手段２〜９と同様の効果が得られる。
【発明を実施するための最良の形態】
【００２２】
次に、本発明を実施するための最良の実施形態を説明する。図１は本実施形態のパチンコ機２０を裏面から見た外観図であり、図２はメイン制御基板ケース３０を一方から見たときの斜視図、図３はメイン制御基板ケース３０の組立斜視図である。
【００２３】
パチンコ機２０は、図１に示すように、外枠２にヒンジ３を介して開閉自在に取り付けられた前枠４と、前枠４の裏側上部に取り付けられ遊技球を貯留可能なタンク６と、遊技球をタンク６から遊技球払出装置８へと導くタンクレール１０と、遊技球払出装置８を制御する払出制御基板を収容する払出制御基板ケース１２と、前枠４の裏面中央に開閉自在に取り付けられ特別図柄表示装置としての液晶ディスプレイの表示制御を司る表示制御基板を収容する表示制御基板ケースや各種ランプの表示制御を司るランプ制御基板を収容するランプ制御基板ケースやスピーカからの発生音の制御を司る音声制御基板を収容する音声制御基板ケースなどを内包する大型カバー１４と、遊技盤の各種入賞口への遊技球の入賞に応じて各種制御基板へ制御信号を出力するメイン制御基板６０を収容するメイン制御基板ケース３０と、遊技球を遊技盤へ発射させるステップモータ１６とを備える。
【００２４】
メイン制御基板ケース３０は、図２に示すように、ケース蓋体５０の内面側にメイン制御基板６０をネジ又は接着剤で固定し、このケース蓋体５０をケース本体４０に長辺方向に沿ってスライドさせて一体化したあと、ケース本体４０に設けられた封止用ブロック４６とケース蓋体５０に設けられた封止用スリット５６とを整合させた状態でＪ字金具８０により両者を不可逆的に封止したものである。このように、メイン制御基板ケース３０は、ケース本体４０とケース蓋体５０とによって囲まれる収容空間にメイン制御基板６０の実装面上に取り付けたＩＣチップ等の電子部品を密封状態で収容したものである。
【００２５】
ケース本体４０は、透明なポリカーボネート樹脂を成形したものであり、図３に示すように、矩形状の本体底面部４１と、この本体底面部４１の各長辺に沿って立設した一対の本体長壁部４２，４２とを備えている。両本体長壁部４２，４２の内側には、ケース蓋体５０をスライドさせるためのレール溝４３，４３が長辺に沿って形成されている。また、一方の本体長壁部４２の外面には、パチンコ機２０の裏面にメイン制御基板ケース３０を引っかけるための引っ掛け部４４，４４が設けられている。また、ケース本体４０には、レール溝４３，４３をスライドしていくケース蓋体５０をレール溝４３，４３の終端にてストップさせるストッパ壁４３ａ，４３ａが形成されている。これら二つのストッパ壁４３ａ，４３ａの間には、５つの封止用ブロック４６，４６，…が設けられている。封止用ブロック４６は、内部に空洞が形成され、その空洞にはＪ字金具８０（図２参照）の長足部８１が一旦挿入されるとＪ字金具８０を抜き取ろうとしても長足部８１に形成されたギザギザの突起８２と係合して抜き取り方向への移動を阻止するフック（図示せず）が形成されている。
【００２６】
ケース蓋体５０は、透明なポリカーボネート樹脂を成形したものであり、矩形状の蓋体底面部５１と、この蓋体底面部５１の各長辺に沿って立設した一対の蓋体長壁部５２，５２とを備えている。このうち、蓋体底面部５１は、メイン制御基板６０に対向している。この蓋体底面部５１には、メイン制御基板６０の熱を外部へ放出するための多数の放熱通路７０が形成されている。また、両蓋体長壁部５２，５２には、ケース本体４０のレール溝４３，４３に嵌め込んでスライドさせるための鍔部５３，５３（図２〜図４には片側のみ示す）が形成されている。この鍔部５３には、メイン制御基板６０のコネクタ６４を露出させるための複数のコネクタ用窓５４が設けられている。また、ケース蓋体５０の一方の短辺には５つの封止用スリット５６，５６，…が設けられている。この封止用スリット５６の内部には、Ｊ字金具８０を封止用スリット５６に挿入するとＪ字金具８０の鈎状に形成された引掛部８３が引っ掛かる架橋部（図示せず）が形成されている。なお、ケース蓋体５０の他方の短辺には図示しないが蓋体短壁部が設けられ、この結果、ケース蓋体５０は、蓋体底面部５１の四方が蓋体長壁部５２，５２と封止用スリット５６，５６，…と基体短壁部とよって囲まれている。
【００２７】
メイン制御基板６０は、プリント配線板のうちケース蓋体５０側の面（実装面）に種々の電子部品が実装されたものである。実装された電子部品には、図２に示すように、パチンコ機２０の全体の制御を司るＣＰＵ６２や各種プログラムが記録されたＲＯＭ６３などが含まれる。このメイン制御基板６０上には、ここに実装された種々の電子部品と外部の電子部品とを電気的に接続するための複数のコネクタ６４も搭載されている。また、ＣＰＵ６２は、ＲＯＭ６３に記録されたプログラムにしたがって各種の処理を実行するものであり、例えば遊技者にとって有利な特別遊技状態（いわゆる大当たり）へ移行するか否かについてはＲＯＭ６３に記録された大当たり確率のテーブルを参照する。したがって、このＲＯＭ６３を大当たり確率が極めて高いテーブルをもつ不正ＲＯＭに交換すると、不当な賞球が得られることになる。なお、各電子部品はメイン制御基板６０の実装面の裏側にはんだで固定されている。
【００２８】
ここで、ケース蓋体５０の蓋体底面部５１に設けられた放熱通路７０について、詳細に説明する。図４は蓋体底面部５１の説明図であり、（ａ）は図３の円内の部分拡大図、（ｂ）は（ａ）のＡ−Ａ断面図である。図５及び図６は図４（ｂ）の部分拡大図である。蓋体底面部５１は、全体にわたって外側に配置された外側放熱孔形成面７１と、内側に配置された内側放熱孔形成面７２からなる二重板構造であり、両放熱孔形成面７１，７２の間には隙間７３が設けられている。また、外側放熱孔形成面７１には多数の外側放熱孔７４が設けられ、内側放熱孔形成面７２には多数の内側放熱孔７５が設けられている。外側放熱孔７４は、内側放熱孔７５よりも孔径が大きく形成され、内側放熱孔７５よりも配置密度が粗くなるように形成されている。また、外側放熱孔７４の開口部分と内側放熱孔７５の開口部分とは孔軸方向にみたときに重なる部分がないように形成されている。そして、放熱通路７０は、外側放熱孔７４の外側開口７４ａと内側放熱孔７５の内側開口７５ｂとの間に形成される通路であり、いずれの外側放熱孔７４の外側開口７４ａからも直線的にいずれかの内側放熱孔７５の内側開口７５ｂまで通過することはできないように設計されている。具体的には、図５に示すように、外側放熱孔７４の外側開口７４ａに真っ直ぐな棒状部材を差し込んだ場合、外側放熱孔７４の外側開口７４ａの縁と外側放熱孔７４の内側開口７４ｂの縁とを対角線状に結んだ仮想直線Ｌ１が棒状部材を差し込んで動かせる最大の到達範囲であるから、内側放熱孔７５の外側開口７５ａがこの到達範囲の外に存在しているものについては、この外側放熱孔７４から差し込んだ棒状部材は到達しない。また、到達範囲内に位置する内側放熱孔７５についても、図６に示すように、外側放熱孔７４の内側開口７４ｂの縁と内側放熱孔７５の外側開口７５ａの縁とが最短距離になるように結んだ仮想直線Ｌ２，Ｌ３は内側放熱孔７５の内側開口７５ｂまで届かず側壁にぶつかるため、外側放熱孔７４から差し込んだ棒状部材はメイン制御基板６０にまで到達することはできない。
【００２９】
以上詳述したように、本実施形態のパチンコ機２０では、メイン制御基板ケース３０内に収容されたメイン制御基板６０に実装された電子部品が発熱したとしてもその熱は放熱通路７０の内側開口７５ｂから外側開口７４ａへと逃げるため、放熱通路７０の本来の機能は損なわれない。また、放熱通路７０に針金等の直線状の小道具を挿入してメイン制御基板６０に不正を働こうとしても、その小道具を放熱通路７０の外側開口７４ａから内側開口７５ｂへ直線的に到達させることができないため、放熱通路７０を介して不正が行われるのを防止することができる。
【００３０】
また、上側に配置される外側放熱孔形成面７１に形成された外側放熱孔７４に対して下側に配置される内側放熱孔形成面７２に形成された内側放熱孔７５をずらすだけでよいため、本発明の放熱通路を容易に実現することができる。
【００３１】
更に、放熱孔形成面の枚数が多いほど不正防止効果が高くなるが、その反面、放熱効果が低くなることから、本実施形態では放熱孔形成面を２枚として、両効果の両立を図っている。
【００３２】
更にまた、外側放熱孔７４の方が内側放熱孔７５より孔径が大きいため、熱がメイン制御基板ケース３０内にこもりにくい。
【００３３】
なお、本発明の実施の形態は、上述した実施形態に何ら限定されるものではなく、本発明の技術的範囲に属する限り種々の形態を採り得ることはいうまでもない。
【００３４】
例えば、上述した実施形態では、本発明の遊技機の基板ケースの一例としてメイン制御基板ケース３０を示したが、例えば払出制御基板を収容する払出制御基板ケース、表示制御基板を収容する表示制御基板ケース、ランプ制御基板を収容するランプ制御基板ケース、又は音声制御基板を収容する音声制御基板ケースなどに本発明を適用してもよい。これらの場合も上述した実施形態と同様の効果が得られる。
【００３５】
また、上述した実施形態では、蓋体底面部５１を外側放熱孔形成面７１と内側放熱孔形成面７２の二重板構造としたが、図７に示すように、外側放熱孔形成面７１の外側に更に最外放熱孔形成面７６を隙間を持って配置した三重板構造としてもよい。即ち、最外放熱孔形成面７６には多数の最外放熱孔７７が設けられ、最外放熱孔７７は外側放熱孔７４よりも孔径が大きく形成されている。また、最外放熱孔７７の開口部分と外側放熱孔７４の開口部分と内側放熱孔７５の開口部分とは軸方向にみたときに重なる部分がないように形成されている。そして、放熱通路７０は、最外放熱孔７７の外側開口７７ａと内側放熱孔７５の内側開口７５ｂとの間に形成される通路であり、いずれの最外放熱孔７７の外側開口７７ａからも直線的にいずれかの内側放熱孔７５の内側開口７５ｂまで通過することはできないように設計されている。なお、外側放熱孔７４と内側放熱孔７５については上述した実施形態と同じであるため、その説明は省略する。このように三重板構造とした場合にも、上述した実施形態とほぼ同じ作用効果を奏するが、二重板構造に比べて一層不正防止効果が高まる。
【００３６】
更に、上述した実施形態では、外側放熱孔７４の孔径を内側放熱孔７５よりも大きくしたが、逆に外側放熱孔７４の孔径を内側放熱孔７５よりも小さくしてもよい。例えば、図４の外側放熱孔形成面７１と内側放熱孔形成面７２の内外を入れ替えて配置してもよい。こうしても、放熱機能を損なうことなく不正を防止することができる。あるいは、例えば、図８のように、内側放熱孔形成面７２に形成される内側放熱孔７８の孔径を外側放熱孔７４の孔径と同じにしてもよい。図８では、外側放熱孔７４から棒状部材を差し込んで動かせる最大の到達範囲（図５参照）の外に、内側放熱孔７８が形成されている。こうしても、放熱機能を損なうことなく不正を防止することができる。
【００３７】
更にまた、上述した実施形態では、蓋体底面部５１の全体を二重板構造としたが、蓋体底面部５１のうち放熱通路７０を形成する箇所のみ二重板構造とし他の箇所を一重板構造としてもよい。
【００３８】
そしてまた、上述した実施形態では、放熱通路７０を複数の放熱孔形成面に形成された放熱孔により構成するものとしたが、図９（ａ）に示すように、蓋体底面部５１の内外を屈曲しながら貫通する放熱通路９０としてもよい。この放熱通路９０は、外側開口９０ａから差し込んだ直線的な棒状部材Ｌ４を内側開口９０ｂまで通過させることができないように設計されている。したがって、放熱通路９０の本来の機能を損うことなく、放熱通路９０に針金等の直線状の小道具を挿入して不正が行われるのを防止することができる。ここで、蓋体底面部５１は、図９（ａ）に示すように、１枚の平板の両面から非貫通の傾斜穴を軸線が交差するように穿設することにより作製してもよいし、図９（ｂ）に示すように、傾斜穴を有する２枚の平板を軸線が交差するようにネジ等で機械的に接合したり接着剤等で化学的に接合することにより見かけ上一重板構造となるように作製してもよい。あるいは、図１０（ａ）の放熱通路９２のように、外側開口９２ａから複数回屈曲してジグザグ状に内側開口９２ｂに至るようにしてもよい。この放熱通路９２は、外側開口９２ａから差し込んだ直線的な棒状部材Ｌ５を内側開口９２ｂまで通過させることができないように設計されている。したがって、この場合も、放熱通路９２の本来の機能を損うことなく、放熱通路９２に針金等の直線状の小道具を挿入して不正が行われるのを防止することができる。特に、ジグザグ状であるため、小道具を一層挿入しづらいことから、不正防止効果が高まる。ここで、蓋体底面部５１は、図１０（ｂ）に示すように、両面から非貫通の傾斜穴を軸線が交差するように穿設した平板を２枚用意し、これらをネジ等で機械的に接合したり接着剤等で化学的に接合したりすることにより見かけ上一重板構造となるように作製してもよいし、図１０（ｃ）に示すように、傾斜穴を有する３枚の平板を軸線が交差するようにネジ等で機械的に接合したり接着剤等で化学的に接合することにより見かけ上一重板構造となるように作製してもよい。
【００３９】
そして更に、上述した実施形態では、パチンコ機２０を例にとって説明したが、本発明が適用可能な遊技機はパチンコ機に限定されるものではなく、例えばスロットマシンや、パチンコ機とスロットマシンとを融合させた遊技機などにも適用することができるのは勿論である。
【図面の簡単な説明】
【００４０】
【図１】本実施形態のパチンコ機を裏面から見た外観図である。
【図２】メイン制御基板ケースを一方から見たときの斜視図である。
【図３】メイン制御基板ケースの組立斜視図である。
【図４】蓋体底面部の説明図であり、（ａ）図３の円内の部分拡大図、（ｂ）は（ａ）のＡ−Ａ断面図である。
【図５】図４（ｂ）の部分拡大図である。
【図６】図４（ｂ）の部分拡大図である。
【図７】他の実施形態の蓋体底面部の断面図である。
【図８】他の実施形態の蓋体底面部の説明図であり、（ａ）蓋体底面部５１の部分拡大図、（ｂ）は（ａ）のＢ−Ｂ断面図である。
【図９】他の実施形態の放熱通路の断面図である。
【図１０】他の実施形態の放熱通路の断面図である。
【符号の説明】
【００４１】
２…外枠、３…ヒンジ、４…前枠、６…タンク、８…遊技球払出装置、１０…タンクレール、１２…払出制御基板ケース、１４…大型カバー、１６…ステップモータ、２０…パチンコ機、３０…メイン制御基板ケース、４０…ケース本体、４１…本体底面部、４２…本体長壁部、４３…レール溝、４３ａ…ストッパ壁、４６…封止用ブロック、５０…ケース蓋体、５１…蓋体底面部、５２…蓋体長壁部、５３…鍔部、５４…コネクタ用窓、５６…封止用スリット、６０…メイン制御基板、６２…ＣＰＵ、６３…ＲＯＭ、６４…コネクタ、７０…放熱通路、７１…外側放熱孔形成面、７２…内側放熱孔形成面、７３…隙間、７４…外側放熱孔、７４ａ…外側開口、７４ｂ…内側開口、７５…内側放熱孔、７５ａ…外側開口、７５ｂ…内側開口、７６…最外放熱孔形成面、７７…最外放熱孔、７７ａ…外側開口、７８…内側放熱孔、８０…Ｊ字金具、８１…長足部、８２…突起、８３…引掛部、９０…放熱通路、９０ａ…外側開口、９０ｂ…内側開口、９２…放熱通路、９２ａ…外側開口、９２ｂ…内側開口。
【図１】
2006101999.tif 000003
【図２】
2006101999.tif 000004
【図３】
2006101999.tif 000005
【図４】
2006101999.tif 000006
【図５】
2006101999.tif 000007
【図６】
2006101999.tif 000008
【図７】
2006101999.tif 000009
【図８】
2006101999.tif 000010
【図９】
2006101999.tif 000011
【図１０】
2006101999.tif 000012